(57)【要約】【課題】  フィルタホルダに外力が作用した場合を考慮したフィルタホルダを提供することを目的とする。【解決手段】  鉛直方向上方側に向かうほど壁面３Ｂから離間するように傾斜した傾斜面１２Ａが形成された傾斜部１２をフィルタホルダ１０の下側外縁部１１Ｄに設ける。これにより、フィルタホルダ１０（ケーシング１１）に対して鉛直方向下向きの外力が作用した場合には、開口部１１Ｃの上側外縁部１１Ｅが排気枠５に引っ掛かって係合する。フィルタホルダ１０（ケーシング１１）に対して鉛直方向上向きの外力が作用した場合には、傾斜面１２Ａが鉛直方向上方側に向かうほど壁面３Ｂから離間するように傾斜しているので、傾斜面１２Ａと排気枠５との接触部において、フィルタホルダ１０を壁面３Ｂから離間させる向きの分力が発生する。【選択図】  図９
2017083757.tif 000002
【特許請求の範囲】
【請求項１】
シートに画像を形成する画像形成部、前記画像形成部を収納するとともに、内部の空気を排出する排気口が設けられた筐体、並びに前記排気口の外縁部に設けられ、前記筐体の壁面から突出した突出部を備える画像形成装置に適用されるフィルタホルダであって、前記排気口から排出される排気中から塵埃を除去するフィルタを当該画像形成装置に装着するためのフィルタホルダにおいて、
前記突出部が嵌まり込み可能な開口部が設けられ、前記フィルタを収納するためのケーシングと、
前記開口部の外縁部のうち、前記突出部に前記開口部が嵌め込まれた装着状態において前記突出部の鉛直方向下端部と対向する下側外縁部に設けられた傾斜部であって、鉛直方向上方側に向かうほど前記壁面から離間するように傾斜した傾斜面が設けられた傾斜部と
を備えることを特徴とするフィルタホルダ。
【請求項２】
前記下側外縁部は、直線状に延びる帯状に形成されており、
さらに、前記傾斜部は、前記下側外縁部から突出した少なくとも１つの突起部により構成されていることを特徴とする請求項１に記載のフィルタホルダ。
【請求項３】
前記開口部の外縁部のうち、前記装着状態において前記突出部の鉛直方向上端部と対向する上側外縁部には、前記突出部に向けて突出した突起部が設けられていることを特徴とする請求項１又は２に記載のフィルタホルダ。
【請求項４】
前記突起部の先端には、前記装着状態において、前記突出部の突出方向と平行な平面部が設けられていることを特徴とする請求項３に記載のフィルタホルダ。
【請求項５】
前記ケーシングのうち前記開口部と対向する部位には、前記フィルタが挿入可能な挿入口が設けられており、
さらに、前記挿入口を開閉可能に閉塞する蓋部を備えることを特徴とする請求項１ないし３のいずれか１項に記載のフィルタホルダ。
【請求項６】
前記ケーシングには、前記蓋部に設けられた係合部と係合可能な被係合部であって、前記係合部と係合したときに前記蓋部を閉塞状態に保持する被係合部が設けられており、
前記ケーシングのうち前記被係合部が設けられた側の部位であって、前記装着状態において前記壁面と対向する部位には、当該部位と前記壁面とを結合させる結合部が設けられていることを特徴とする請求項５に記載のフィルタホルダ。
【請求項７】
前記結合部が設けられた前記部位は、水平方向に前記ケーシングが３等分されたときの中央部であることを特徴とする請求項６に記載のフィルタホルダ。
【請求項８】
前記結合部は、接着テープにより構成されていることを特徴とする請求項６又は７に記載のフィルタホルダ。
【請求項９】
前記接着テープと前記ケーシングとの間には、当該接着テープの接着剪断力より小さい破断剪断力を有する材質にて構成された剪断促進材が設けられていることを特徴とする請求項８に記載のフィルタホルダ。
【請求項１０】
シートに画像を形成する画像形成部と、
前記画像形成部を収納するとともに、内部の空気を排出する排気口が設けられた筐体と、
前記排気口の外縁部に設けられ、前記筐体の壁面から突出した突出部と
前記排気口から排出される排気中から塵埃を除去するフィルタと、
前記突出部が嵌まり込んだ開口部が設けられ、前記フィルタを収納するフィルタホルダと、
前記開口部の外縁部のうち前記突出部の鉛直方向下端部と対向する下側外縁部及び当該下側外縁部と対向する前記前記突出部のうち少なくとも一方に設けられた傾斜部であって、鉛直方向上方側に向かうほど前記壁面から離間するように傾斜した傾斜面が設けられた傾斜部と
を備えることを特徴とする画像形成装置。
【請求項１１】
前記傾斜部は、前記下側外縁部に設けられていることを特徴とする請求項１０に記載の画像形成装置。
【請求項１２】
前記排気口には、複数の羽板を有する鎧窓状のルーバが設けられていることを特徴とする請求項１０又は１１に記載の画像形成装置。
【発明の詳細な説明】
【技術分野】
【０００１】
本発明は、画像形成装置用のフィルタホルダに関する。
【背景技術】
【０００２】
例えば、特許文献１には、プリンタ等の事務機器の排気口に装着されるフィルタケースが記載されている。当該フィルタケースは、排気口から排出される排気中から塵埃を除去するフィルタを収納するケースである。
【先行技術文献】
【特許文献】
【０００３】
【特許文献１】特表２０１３−５１８７１２号公報
【発明の概要】
【発明が解決しようとする課題】
【０００４】
特許文献１に係るフィルタケースでは、プリンタに装着された状態において当該フィルタケースがプリンタの側壁から突出した状態となる。このため、利用者が当該フィルタケースを下方側に押さえ付ける可能性がある。さらに、利用者がプリンタを持ち上げる際に、当該フィルタケースに手を掛けて当該プリンタを持ち上げる可能性もある。
【０００５】
そして、特許文献１に記載の発明では、フィルタケース等のフィルタホルダに外力が作用した場合について一切考慮されていない。本発明は、上記点に鑑み、フィルタホルダに外力が作用した場合を考慮したフィルタホルダを提供することを目的とする。
【課題を解決するための手段】
【０００６】
本願では、排気口（３Ｃ）から排出される排気中から塵埃を除去するフィルタ（９）を画像形成装置に装着するためのフィルタホルダであって、突出部（５）が嵌まり込み可能な開口部（１１Ｃ）が設けられ、フィルタ（９）を収納するためのケーシング（１１）と、開口部（１１Ｃ）の外縁部のうち、突出部（５）に開口部（１１Ｃ）が嵌め込まれた状態において、突出部（５）の鉛直方向下端部（５Ｂ）と対向する下側外縁部（１１Ｄ）に設けられた傾斜部（１２）であって、鉛直方向上方側に向かうほど壁面（３Ｂ）から離間するように傾斜した傾斜面（１２Ａ）が設けられた傾斜部（１２）とを備える。
【０００７】
これにより、本願発明では、フィルタホルダ（ケーシング（１１））に対して鉛直方向下向きの外力が作用した場合には、開口部（１１Ｃ）の外縁部であって突出部（５）の鉛直方向上端部（５Ａ）と対向する上側外縁部（１１Ｅ）が、壁面（３Ｂ）から突出した突出部（５）に引っ掛かる（以下、「係合する」ともいう。）ので、画像形成装置に設けられた突出部（５）にて当該外力を受けることができる。
【０００８】
利用者が画像形成装置を持ち上げる際に、フィルタホルダに手を掛けて当該画像形成装置を持ち上げようとした場合、つまりフィルタホルダ（ケーシング（１１））に対して鉛直方向上向きの外力が作用した場合には、フィルタホルダには、当該フィルタホルダ（１０）を壁面（３Ｂ）から離間させる向きの力が作用する。
【０００９】
すなわち、上記上向きの外力がフィルタホルダに作用すると、当該外力は、傾斜部（１２）を介して突出部（５）の鉛直方向下端部（５Ｂ）に作用する。このとき、傾斜面（１２Ａ）が鉛直方向上方側に向かうほど壁面（３Ｂ）から離間するように傾斜しているので、傾斜面（１２Ａ）と突出部（５）との接触部において、フィルタホルダ（１０）を壁面（３Ｂ）から離間させる向きの分力が発生する。
【００１０】
ところで、筐体（３）の強度は、通常、画像形成装置に作用する重力に対抗できるほどの強度が確保されていない場合がある。このため、利用者がフィルタホルダに手を掛けて当該画像形成装置を持ち上げようとすると、画像形成装置（１）が持ち上がる前に筐体（３）が先に破壊してしまう可能性がある。
【００１１】
これに対して、本願発明では、上向きの外力がフィルタホルダに作用すると、フィルタホルダ（１０）を壁面（３Ｂ）から離間させる向きの分力が発生するので、画像形成装置（１）が持ち上がる前にフィルタホルダ（１０）が画像形成装置から離間し得る。したがって、画像形成装置が損傷してしまうことを抑制できる。
【００１２】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【００１３】
【図１】本発明の実施形態に係る画像形成装置１の外観斜視図である。
【図２】本発明の実施形態に係る画像形成装置１の排気口３Ｃ及排気枠５の拡大斜視図である。
【図３】Ａはフィルタホルダ１０が装着されたカバー３Ａの正面図である。Ｂはフィルタホルダ１０が装着されたカバー３Ａの斜視図である。
【図４】Ａは本発明の実施形態に係るフィルタ９の斜視図である。Ｂは本発明の実施形態に係るフィルタ９の側面図である。
【図５】本発明の第１実施形態に係るフィルタホルダ１０の斜視図である。
【図６】Ａは第１実施形態に係るケーシング１１が装着されたカバー３Ａの正面図である。Ｂは第１実施形態に係るケーシング１１が装着されたカバー３Ａの斜視図である。
【図７】Ａは第１実施形態に係るケーシング１１の正面図である。Ｂは第１実施形態に係るケーシング１１の斜視図である。
【図８】第１実施形態に係るケーシング１１が装着されたカバー３Ａの斜視図である。
【図９】Ａは図３ＡのＡ−Ａ断面図である。Ｂは図３ＡのＤ部拡大図である。Ｃは図３ＡのＥ部拡大図である。
【図１０】本発明の実施形態に係る結合部１７Ａ〜１７Ｃの構造説明図である。
【図１１】Ａは本発明の第１実施形態の特徴説明図である。Ｂは本発明の第２実施形態の特徴説明図である。
【発明を実施するための形態】
【００１４】
以下に説明する「発明の実施形態」は実施形態の一例を示すものである。つまり、特許請求の範囲に記載された発明特定事項等は、下記の実施形態に示された具体的構造等に限定されるものではない。
【００１５】
本実施形態は、モノクロ方式の画像形成装置に本発明に係るフィルタホルダ及び画像形成装置を適用したものである。各図に付された方向を示す矢印等は、各図相互の関係を理解し易くするために記載したものである。本発明は、各図に付された方向に限定されるものではない。
【００１６】
少なくとも符号を付して説明した部材又は部位は、「複数」や「２つ以上」等の断りをした場合を除き、少なくとも１つ設けられている。以下、本発明の実施形態を図面と共に説明する。
【００１７】
（第１実施形態）
１．画像形成装置
図１に示すように、画像形成装置１の筐体３内には画像形成部２が収納されている。画像形成部２は用紙等のシートに画像を形成する。本実施形態に係る画像形成部２は電子写真方式である。
【００１８】
筐体３は、画像形成部２を収納して外観意匠面を構成するカバー３Ａ等を有している。当該カバー３Ａ（筐体３）の壁面３Ｂには排気口３Ｃが設けられている。排気口３Ｃは、筐体３内の空気を外部に排出するための開口である。
【００１９】
筐体３（カバー３Ａ）内には送風機（図示せず。）が設けられている。送風機は筐体３内の空気を筐体３外に排出するための気流を発生させる。筐体３のうち排気口３Ｃが設けられた部位には排気枠５が設けられている。
【００２０】
排気枠５は壁面３Ｂから外部側に突出部の一例である。当該排気枠５は、図２に示すように、壁面３Ｂから外部側に突出した突条の枠体部であって、排気口３Ｃの外縁部を縁取るような閉曲線を描いている。なお、本実施形態に係る排気枠５は、矩形状の閉曲線を描いている。
【００２１】
突出部の一例である排気枠５は、少なくとも第１枠部５Ａ及び第２枠部５Ｂを有する。第１枠部５Ａは排気枠５の鉛直方向上端部に位置する。第２枠部５Ｂは排気枠５の鉛直方向下端部に位置する。
【００２２】
本実施形態では排気枠５は矩形状であるので、第１枠部５Ａ及び第２枠部５Ｂは共に水平方向に延びる突条の枠体部である。なお、第１枠部５Ａの延び方向一端（図２では左端）と第２枠部５Ｂの延び方向一端（図２では左端）とは第３枠部５Ｃを介して連結されている。
【００２３】
第１枠部５Ａの延び方向一端（図２では右端）と第２枠部５Ｂの延び方向一端（図２では右端）とは第４枠部５Ｄを介して連結されている。第３枠部５Ｃ及び第４枠部５Ｄも壁面３Ｂから外部側に突出した突条の枠体部である。
【００２４】
排気口３Ｃには鎧窓状のルーバ７が設けられている。ルーバ７は、複数の羽板７Ａを有している。各羽板７Ａは、略帯板状であって、排気の向きを特定方向に転向させる。複数の羽板７Ａそれぞれの長手方向は、鉛直方向に対して傾いている。なお、本実施形態では、排気枠５（第１枠部５Ａ〜第４枠部５Ｄ）及びルーバ７（複数の羽板７Ａ）は、カバー３Ａと共に樹脂にて一体成形されている。
【００２５】
２．フィルタホルダ
２．１  フィルタ
本実施形態に係る画像形成装置１には、図３Ａ及び図３Ｂに示すように、フィルタホルダ１０を介してフィルタ９を装着することができる。フィルタ９は、排気口３Ｃから排出される排気中から塵埃等の浮遊物を除去する。
【００２６】
本実施形態に係るフィルタ９は、図４Ａに示すように、不織布や濾紙等のシート状部材が波状に折り曲げられた濾過部９Ａを有する。濾過部９Ａの周囲は、図４Ｂに示すように、帯状のバンド部９Ｂが接合されている。当該バンド部９Ｂにより濾過部９Ａの形状が維持される。
【００２７】
２．２  フィルタホルダ
＜フィルタホルダのケーシング＞
フィルタホルダ１０は、図５に示すように、少なくともケーシング１１及び蓋部１４を有している。ケーシング１１はフィルタ９収納するための収納体である（図３Ｂ参照）。具体的には、ケーシング１１は、フィルタ枠１１Ａ及びプレート部１１Ｂ等を有している。
【００２８】
フィルタ枠１１Ａは、フィルタ９の側面、つまりバンド部９Ｂ側を覆う枠体である。本実施形態に係るフィルタ枠１１Ａは、フィルタ９の外形と相似な形状、つまり矩形状に構成されている（図６Ｂ参照）。
【００２９】
プレート部１１Ｂには、図７Ａに示すように、開口部１１Ｃが設けられている。開口部１１Ｃは、図８に示すように、排気枠５が嵌まり込み可能な開口である。以下、排気枠５に開口部１１Ｃが嵌め込まれた状態を装着状態という。
【００３０】
開口部１１Ｃの外縁部のうち、装着状態において排気枠５の鉛直方向下端部（第２枠部５Ｂ）と対向する下側外縁部１１Ｄには、少なくとも１つ（本実施形態では２つ）の傾斜部１２が設けられている。
【００３１】
一対の傾斜部１２それぞれには、図９Ａに示すように、傾斜面１２Ａが設けられている。各傾斜面１２Ａは、図９Ｃに示すように、鉛直方向上方側に向かうほど壁面３Ｂ（カバー３Ａ）から離間するように傾斜している。
【００３２】
本実施形態に係る開口部１１Ｃは、排気枠５と相似な形状（本実施形態では、矩形状）である。つまり、下側外縁部１１Ｄは、図８に示すように、直線状に延びる帯状に形成された部位である。
【００３３】
そして、一対の傾斜部１２は、下側外縁部１１Ｄから鉛直方向上側に向けて突出した突起部により構成されている。各傾斜面１２Ａは、各傾斜部１２の突出方向先端、つまり当該突起部の上端に設けられている。
【００３４】
開口部１１Ｃの外縁部のうち、装着状態において排気枠５の鉛直方向上端部（第１枠部５Ａ）と対向する上側外縁部１１Ｅには、第１枠部５Ａ側、つまり鉛直方向下側に向けて突出した突起部１３が少なくとも１つ（本実施形態では２つ）設けられている。なお、上側外縁部１１Ｅも下側外縁部１１Ｄと同様に直線状に延びる帯状に形成された部位である。
【００３５】
各突起部１３の先端には平面部１３Ａが設けられている。各平面部１３Ａは、図９Ａに示すように、装着状態において第１枠部５Ａの突出方向と略平行である。換言すれば、各平面部１３Ａは、図９Ｂに示すように、装着状態において第１枠部５Ａの上面に対して略平行になる面である。
【００３６】
本実施形態では、傾斜部１２及び突起部１３それぞれはケーシング１１と共に樹脂にて一体成形されている。排気枠５はカバー３Ａと共に樹脂にて一体成形されている。このため、排気枠５（第１枠部５Ａ及び第２枠部５Ｂ）、並びに傾斜部１２及び突起部１３は、型抜き方向に対して、少なくとも抜き勾配分は傾斜している。本実施形態における型抜き方向は、壁面３Ｂ及びプレート部１１Ｂに対して垂直な方向である。
【００３７】
したがって、平面部１３Ａが、第１枠部５Ａの突出方向又は第１枠部５Ａの上面に対して略平行とは、少なくとも上記抜き勾配分の傾きは控除した平行度である。なお、本実施形態では、排気枠５の寸法バラツキ及び開口部１１Ｃの寸法バラツキが考慮された寸法となっている。このため、図９Ａ〜図９Ｃでは、排気枠５と傾斜部１２及び突起部１３と間には、寸法バラツキを吸収するための隙間が存在している。
【００３８】
＜フィルタホルダの蓋部＞
蓋部１４は、図５に示すように、挿入口１１Ｆを開閉可能に閉塞するめの部材である。挿入口１１Ｆは、ケーシング１１のうち開口部１１Ｃと対向する部位に設けられた開口であって、フィルタ９が挿入可能な開口である。
【００３９】
つまり、ケーシング１１にフィルタ９が収納された状態で、挿入口１１Ｆが蓋部１４により閉塞されると、当該フィルタ９は、図３Ｂに示すように、フィルタホルダ１０により保持された状態となる。
【００４０】
蓋部１４には、図５に示すように通風口１４Ａが設けられている。通風口１４Ａは、空気が流通可能な開口である。本実施形に係る通風口１４Ａは、スリット状（細長状）に形成された複数の貫通穴により構成されている。なお、それら貫通穴の長手方向は、複数の羽板７Ａの長手方向に交差する方向（本実施形態では、装着状態において水平方向）となっている。
【００４１】
本実施形態に係る蓋部１４はケーシング１１に対して着脱自在な構成である。すなわち、蓋部１４には複数の係合部１５Ａ〜１５Ｃが設けられている。ケーシング１１には、各係合部１５Ａ〜１５Ｃと係合可能な複数の被係合部１６Ａ〜１６Ｃが設けられている。
【００４２】
係合部１５Ａ、１５Ｂ及び被係合部１６Ａ、１６Ｂは、装着状態において蓋部１４及びケーシング１１の鉛直方向上端側に位置する。係合部１５Ｃ及び被係合部１６Ｃは、装着状態において蓋部１４及びケーシング１１の鉛直方向下端側に位置する。
【００４３】
係合部１５Ａ、１５Ｂ（以下、上側係合部１５Ａ、１５Ｂともいう。）は、被係合部１６Ａ、１６Ｂ（以下、上側被係合部１６Ａ、１６Ｂともいう。）に嵌り込むように上側被係合部１６Ａ、１６Ｂに引っ掛かって係合する部位である。
【００４４】
係合部１５Ｃ（以下、下側係合部１５Ｃともいう。）は、被係合部１６Ｃ（以下、下側被係合部１６Ｃともいう。）と引っ掛かって係合する位置と下側被係合部１６Ｃから離間した非係合位置との間で弾性的に変位可能な部位である。
【００４５】
そして、上側係合部１５Ａ、１５Ｂが上側被係合部１６Ａ、１６Ｂに係合した状態で、下側係合部１５Ｃが下側被係合部１６Ｃに係合すると、挿入口１１Ｆが閉塞された状態が保持される。
【００４６】
したがって、利用者は、下側係合部１５Ｃを弾性変位させることにより、蓋部１４をケーシング１１に装着した状態と当該蓋部１４をケーシング１１から取り外した状態とを選択することができきる。
【００４７】
なお、下側係合部１５Ｃは、帯板状の部位が略Ｕ字状に湾曲した形状である。当該略Ｕ字状に湾曲した部位が板ばねとして機能するため、利用者は、下側係合部１５Ｃを容易に鉛直方向に弾性変位させることができる。
【００４８】
プレート部１１Ｂのうち装着状態において壁面３Ｂと対向する部位、つまりプレート部１１Ｂのうちフィルタ９が収納される空間と反対側には、図７Ｂに示すように、少なくとも１つ（本実施形態では、３つ）の結合部１７Ａ〜１７Ｃが設けられている。
【００４９】
各結合部１７Ａ〜１７Ｃは、プレート部１１Ｂ（ケーシング１１）と壁面３Ｂ（カバー３Ａ）とを結合させるための部材である。本実施形態に係る各結合部１７Ａ〜１７Ｃは、図１０に示すように、接着テープ１７Ｄを有して構成されている。
【００５０】
すなわち、接着テープ１７Ｄは、表裏両面に接着層が設けられた両面テープである。当該接着テープ１７Ｄとケーシング１１（プレート部１１Ｂ）との間には、剪断促進材１７Ｆが配設されている。
【００５１】
剪断促進材１７Ｆは、接着テープ１７Ｄの接着剪断力より小さい破断剪断力を有する材質（例えば、スポンジ等の発泡ウレタン）にて構成された部材である。剪断促進材１７Ｆのうち筐体３（カバー３Ａ）には、両面テープ１７Ｅが貼付されている。
【００５２】
つまり、本実施形態に係る各結合部１７Ａ〜１７Ｃは、接着テープ１７Ｄ、剪断促進材１７Ｆ及び両面テープ１７Ｅ等を有して構成されている。そして、ケーシング１１と剪断促進材１７Ｆとは接着テープ１７Ｄにより結合され、当該剪断促進材１７Ｆと筐体３とは両面テープ１７Ｅにより結合されている。
【００５３】
結合部１７Ａは、図７Ｂに示すように、ケーシング１１のうち上側外縁部１１Ｅ側に設けられている。結合部１７Ｂ、１７Ｃは、ケーシング１１のうち下側外縁部１１Ｄ側に設けられている。
【００５４】
なお、結合部１７Ｂ、１７Ｃが設けられた位置は、装着状態において水平方向にケーシング１１（下側外縁部１１Ｄ側）が３等分されたときの中央部に相当する。具体的には、結合部１７Ｂ、１７Ｃ及び下側被係合部１６Ｃが仮想の鉛直面に投影されたとき、投影された下側被係合部１６Ｃを挟んで一方側に投影された結合部１７Ｂが位置し、他方側に投影された結合部１７Ｃが位置する。
【００５５】
３．本実施形態に係るフィルタホルダ及び画像形成装置の特徴
本実施形態に係るフィルタホルダ１０では、鉛直方向上方側に向かうほど壁面３Ｂから離間するように傾斜した傾斜面１２Ａが形成された傾斜部１２が下側外縁部１１Ｄに設けられている。
【００５６】
これにより、本実施形態では、フィルタホルダ１０（ケーシング１１）に対して鉛直方向下向きの外力Ｆ１が作用した場合には、図１１Ａに示すように、開口部１１Ｃの外縁部であって排気枠５の第１枠部５Ａと対向する部位、つまり上側外縁部１１Ｅが、壁面３Ｂから突出した排気枠５に引っ掛かって係合する。このため、画像形成装置１に設けられた排気枠５にて当該外力Ｆ１を受けることができる。
【００５７】
利用者が画像形成装置１を持ち上げる際に、フィルタホルダ１０に手を掛けて当該画像形成装置１を持ち上げようとした場合、つまりフィルタホルダ１０（ケーシング１１）に対して鉛直方向上向きの外力Ｆ２が作用した場合には、フィルタホルダ１０には、当該フィルタホルダ１０を壁面３Ｂから離間させる向きの力Ｆ３が作用する。
【００５８】
すなわち、上記上向きの外力Ｆ２がフィルタホルダ１０に作用すると、当該外力Ｆ２は、傾斜部１２を介して排気枠５の第２枠部５Ｂに作用する。このとき、傾斜面１２Ａが鉛直方向上方側に向かうほど壁面３Ｂから離間するように傾斜しているので、傾斜面１２Ａと排気枠５との接触部において、フィルタホルダ１０を壁面３Ｂから離間させる向きの分力Ｆ３が発生する。
【００５９】
ところで、筐体３の強度は、通常、画像形成装置１に作用する重力に対抗できるほどの強度が確保されていない場合がある。このため、利用者がフィルタホルダ１０に手を掛けて当該画像形成装置１を持ち上げようとすると、画像形成装置１が持ち上がる前に筐体３が先に破壊してしまう可能性がある。
【００６０】
これに対して、本実施形態では、上向きの外力Ｆ２がフィルタホルダ１０に作用すると、フィルタホルダ１０を壁面３Ｂから離間させる向きの分力Ｆ３が発生するので、画像形成装置１が持ち上がる前にフィルタホルダ１０が画像形成装置１から離間し得る。したがって、画像形成装置１が損傷してしまうことを抑制できる。
【００６１】
本実施形態では、傾斜部１２は、下側外縁部１１Ｄから突出した少なくとも１つの突起部により構成されている。これにより、寸法バラツキを吸収して確実に傾斜部１２を排気枠５に接触させることが可能となる。
【００６２】
すなわち仮に、下側外縁部１１Ｄ全域にて傾斜部１２が構成された構造であると、下側外縁部１１Ｄ全域が第２枠部５Ｂと接触する面接触構造とする必要がある。しかし、面接触構造であると、突起部にて構成された傾斜部１２に比べて寸法バラツキを厳しく管理する必要がある。
【００６３】
これに対して、突起部にて傾斜部１２が構成されていると、下側外縁部１１Ｄとの接触面積が小さいので、寸法バラツキを厳しく管理することなく、寸法バラツキを吸収して確実に傾斜部１２を排気枠５に接触させることが可能となる。
【００６４】
本実施形態では、装着状態において、開口部１１Ｃの外縁部のうち第１枠部５Ａと対向する上側外縁部１１Ｅには、排気枠５に向けて突出した突起部１３が設けられている。これにより、傾斜部１２と同様な理由により、寸法バラツキを吸収して、排気枠５の第１枠部５Ａとフィルタホルダ１０とを確実に接触させることが可能となる。
【００６５】
本実施形態では、ケーシング１１のうち開口部１１Ｃと対向する部位に設けられた挿入口１１Ｆを開閉可能に閉塞する蓋部１４を備える。これにより、フィルタ９を容易に交換することが可能となる。
【００６６】
本実施形態では、ケーシング１１のうち被係合部１６Ｃが設けられた側の部位には、当該部位と壁面３Ｂとを結合させる結合部１７Ｂ、１７Ｃが設けられている。このため、仮に、利用者が被係合部１６Ｃから離間した位置に手を掛けて上記外力Ｆ２をフィルタホルダ１０に作用させた場合には、結合部１７Ｂ、１７Ｃに大きなモーメントが作用する。したがって、結合部１７Ｂ、１７Ｃの結合状態を速やかに破断させることが可能となる。
【００６７】
本実施形態では、接着テープ１７Ｄとケーシング１１との間には、当該接着テープ１７Ｄの接着剪断力より小さい破断剪断力を有する材質にて構成された剪断促進材１７Ｆが設けられている。
【００６８】
これにより、本実施形態では、仮に、結合部１７Ｂ、１７Ｃ、つまり接着テープ１７Ｄが壁面３Ｂから剥がれなかった場合であっても、剪断促進材１７Ｆが切断（破断）することより、フィルタホルダ１０を確実に画像形成装置１から離間させることができる。
【００６９】
（第２実施形態）
上述の実施形では、ケーシング１１、つまりフィルタホルダ１０に傾斜部１２が設けられていたが、本実施形態では、図１１Ｂに示すように、排気枠５、つまりカバー３Ａ（筐体３）に傾斜部１２を設けたものである。
【００７０】
なお、上述の実施形態と同一の構成要件等は、上述の実施形態と同一の符号を付したので、重複する説明は省略する。
（その他の実施形態）
上述の実施形態では、傾斜部１２は、下側外縁部１１Ｄに設けられた突起部に構成されていたが、本発明はこれに限定されるものではなく、例えば、下側外縁部１１Ｄ全体を傾斜面１２Ａとして傾斜部１２を構成してもよい。
【００７１】
上述の実施形態では、上側外縁部１１Ｅに突起部１３が設けられていたが、本発明はこれに限定されるものではなく、例えば、上側外縁部１１Ｅ全体を第１枠部５Ａに接触可能な構成としてもよい。
【００７２】
上述の実施形態に係る蓋部１４はケーシング１１に対して着脱自在であったが、本発明はこれに限定されるものではなく、例えば、上側係合部１５Ａ、１５Ｂ側がケーシング１１に揺動可能に組み付けられた構成であってもよい。
【００７３】
結合部１７Ａ〜１７Ｃの位置は、上述の実施形態に示された位置に限定されるものではなく、その他の位置であってもよい。
上述の実施形態に係る結合部１７Ａ〜１７Ｃは、剪断促進材１７Ｆを有する構成であったが、本発明はこれに限定されるものではなく、例えば、剪断促進材１７Ｆを廃止し、接着テープ１７Ｄにてケーシング１１が筐体３（カバー３Ａ）に直接的に結合した構成であってもよい。
【００７４】
上述の実施形態に係る結合部１７Ａ〜１７Ｃは両面テープを利用したものであったが、本発明はこれに限定されるものではなく、例えば接着剤を利用した結合部であってもよい。
【００７５】
上述の実施形態では、排気口３Ｃにルーバ７が設けられていたが、本発明はこれに限定されるものではなく、ルーバ７が設けられていない排気口３Ｃであってもよい。
上述の実施形態では、「筐体３の壁面３Ｂから突出した突出部」として排気枠５を例に本発明を説明したが、本発明はこれに限定されるものではなく、「筐体３の壁面３Ｂから突出した突出部」であればよく、排気枠５以外であってもよい。
【００７６】
上述の排気枠５は矩形状であったが、本発明はこれに限定されるものではなく、例えば、円形や四角形以外の多角形状であってもよい。
上述の実施形態に係るフィルタ９は、折り目を有する不織布にて構成されたものであったが、本発明はこれに限定されるものではなく、スポンジ等の多孔質弾性体にて構成されたフィルタであってもよい。
【００７７】
上述の実施形態では、モノクロ方式の画像形成装置１に本発明に係るフィルタホルダ及び画像形成装置を適用したが、本発明はこれに限定されるものではなく、例えばカラー方式の画像形成装置にも本発明を適用できる。
【符号の説明】
【００７８】
１… 画像形成装置  ２… 画像形成部  ３… 筐体  ３Ａ… カバー
３Ｂ… 壁面  ３Ｃ… 排気口  ５… 排気枠  ５Ａ… 第１枠部
５Ｂ… 第２枠部  ５Ｃ… 第３枠部  ５Ｄ… 第４枠部  ７… ルーバ
７Ａ… 羽板  ９… フィルタ  ９Ａ… 濾過部  ９Ｂ… バンド部
１０… フィルタホルダ  １１… ケーシング  １１Ａ… フィルタ枠
１１Ｂ… プレート部  １１Ｃ… 開口部  １１Ｄ… 下側外縁部
１１Ｅ… 上側外縁部  １１Ｆ… 挿入口  １２… 傾斜部
１２Ａ… 傾斜面  １３… 突起部  １３Ａ… 平面部  １４… 蓋部
１４Ａ… 通風口  １５Ａ〜１５Ｃ… 係合部  １７Ａ〜１７Ｃ… 結合部
１７Ｄ… 接着テープ  １７Ｅ… 両面テープ  １７Ｆ… 剪断促進材
【図１】
2017083757.tif 000003
【図２】
2017083757.tif 000004
【図３】
2017083757.tif 000005
【図４】
2017083757.tif 000006
【図５】
2017083757.tif 000007
【図６】
2017083757.tif 000008
【図７】
2017083757.tif 000009
【図８】
2017083757.tif 000010
【図９】
2017083757.tif 000011
【図１０】
2017083757.tif 000012
【図１１】
2017083757.tif 000013